(57)【要約】【課題】虫刺されによる傷病被害を確実に防止可能で着脱容易な防護服を提供する。【解決手段】虫の侵入を遮断する防護シート２１を備え、使用者が着用して使用する防護服であって、使用者と防護シート２１との離隔を確保する枠体１１を備え、防護シート２１は、使用者が腕を差し込むアーム部２４を備え、枠体１１を覆うように枠体１１に被せられており、アーム部２４には、使用者の腕とアーム部２４との離隔を確保する離隔板２８が設けられている。【選択図】図１
2018053395.tif 000002
【特許請求の範囲】
【請求項１】
虫の侵入を遮断する防護シートを備え、使用者が着用して使用する防護服であって、
使用者と前記防護シートとの離隔を確保する枠体を備え、
前記防護シートは、使用者が腕を差し込むアーム部を備え、前記枠体を覆うように前記枠体に被せられており、
前記アーム部には、使用者の腕と前記アーム部との離隔を確保する離隔確保手段が設けられていることを特徴とする防護服。
【請求項２】
前記枠体は、使用者が頭部に装着するヘルメットの鍔部に掛止する頭部保形枠と、使用者の胸部付近における前記防護シートとの離隔を確保する胸部保形枠と、使用者の腹部付近における前記防護シートとの離隔を確保する腹部保形枠とを備えることを特徴とする請求項１に記載の防護服。
【請求項３】
前記枠体は、使用者の肩に装着可能な肩当を備えることを特徴とする請求項１又は２に記載の防護服。
【請求項４】
さらに前記防護シートの裾が捲れることを防止する錘を備えることを特徴とする請求項１から３のいずれか１項に記載の防護服。
【発明の詳細な説明】
【技術分野】
【０００１】
本発明は、虫刺されによる傷病被害を防止する防護服に関する。
【背景技術】
【０００２】
家屋における計器の取付、撤去、取替等の軽作業時に蜂等の虫に刺されることによる傷病被害が発生している。蜂等による虫刺され被害を防止すべく、種々の防護服が提案されている。
【０００３】
例えば、折畳んだ状態で背負うことのできるもの（例えば、特許文献１参照）や、ヘルメットの鍔部に掛止させて装着するもの（例えば、特許文献２参照）が提案されている。
【０００４】
特許文献１に記載の携帯用防護服によれば、折畳んだ状態で背負うことが可能であり、携帯性に優れ着脱も容易である。
【０００５】
また特許文献２に記載の防虫カバーによれば、顔の正面が透明板部材で防護されているので、視界を確保可能であり、さらに後部がメッシュ素材なので、通気性が確保され透明板部材の曇りを防止することができる。
【先行技術文献】
【特許文献】
【０００６】
【特許文献１】特開２０１０−２０３００９号公報
【特許文献２】実用新案登録第３１５８９７４号公報
【発明の概要】
【発明が解決しようとする課題】
【０００７】
特許文献１に記載の携帯用防護服は、携帯性を優先することで比較的コンパクトに構成されており、蜂等の針が使用者に届いてしまう恐れがある。また裾の部分から虫が侵入してくる恐れがある。
【０００８】
特許文献２に記載の防虫カバーは、使用者の体を防護する部分をファスナー等で連結する必要があり、着脱に時間がかかる。また特許文献１に記載の携帯用防護服と同様、裾の部分から虫が侵入してくる恐れがある。
【０００９】
本発明の目的は、虫刺されによる傷病被害を確実に防止可能で着脱容易な防護服を提供することである。
【課題を解決するための手段】
【００１０】
本発明は、虫の侵入を遮断する防護シートを備え、使用者が着用して使用する防護服であって、使用者と前記防護シートとの離隔を確保する枠体を備え、前記防護シートは、使用者が腕を差し込むアーム部を備え、前記枠体を覆うように前記枠体に被せられており、前記アーム部には、使用者の腕と前記アーム部との離隔を確保する離隔確保手段が設けられていることを特徴とする防護服である。
【００１１】
また本発明の防護服において、前記枠体は、使用者が頭部に装着するヘルメットの鍔部に掛止する頭部保形枠と、使用者の胸部付近における前記防護シートとの離隔を確保する胸部保形枠と、使用者の腹部付近における前記防護シートとの離隔を確保する腹部保形枠とを備えることを特徴とする。
【００１２】
また本発明の防護服において、前記枠体は、使用者の肩に装着可能な肩当を備えることを特徴とする。
【００１３】
また本発明の防護服は、さらに前記防護シートの裾が捲れることを防止する錘を備えることを特徴とする。
【発明の効果】
【００１４】
本発明の防護服は、使用者と虫の侵入を遮断する防護シートとの離隔を確保する枠体を備え、防護シートに使用者が腕を差し込むアーム部を備え、アーム部には、使用者の腕とアーム部との離隔を確保する離隔確保手段が設けられているので、虫刺されによる傷病被害を確実に防止可能であり、着脱容易である。
【図面の簡単な説明】
【００１５】
【図１】本発明の第１実施形態である防護服１を着用した状態を示す正面図である。
【図２】図１の防護服１を着用した状態を示す側面図である。
【図３】図１の防護服１の頭部における断面図である。
【図４】図１の防護服１のアーム部２４の拡大図である。
【発明を実施するための形態】
【００１６】
図１は、本発明の第１実施形態である防護服１を着用した状態を示す正面図である。図２は、図１の防護服１を着用した状態を示す側面図である。図３は、図１の防護服１の頭部における断面図である。図４は、図１の防護服１のアーム部２４の拡大図である。
【００１７】
本発明の防護服１は、使用者９１と防護服１との離隔を確保する枠体１１と、枠体１１を覆う防護シート２１と、視界を確保する透明窓３１と、防護シート２１の裾の捲れを防止する錘４１とを備え、ヘルメット９２の上から被るようにして着用し、虫刺されによる傷病被害を防止する。なお本説明において、使用者９１と防護服１（防護シート２１）との離隔の確保とは、蜂等の針が防護シート２１を貫通したとしても使用者９１に届かない距離が確保されていることを意味する。
【００１８】
枠体１１は、使用者９１の周囲を囲い使用者９１と防護シート２１との離隔を確保すべく、防護服１を円筒状に保つ枠である。枠体１１は、ヘルメット９２の鍔部９３に掛止する頭部保形枠１２と、使用者９１の胸部付近における防護シート２１との離隔を確保する胸部保形枠１３と、使用者９１の腹部付近における防護シート２１との離隔を確保する腹部保形枠１４とで構成されており、頭部保形枠１２、胸部保形枠１３、腹部保形枠１４が防護シート２１を介して繋がっている。
【００１９】
枠体１１の材質は、特定の材質に限定されるものではないが、使用者９１が着用して軽作業を行うこと、及び防護シート２１への負荷を考慮し、強度を確保した上で軽量な材質であることが好ましい。
【００２０】
頭部保形枠１２は、２重のリング状であり、内側のリングである内リング１６がヘルメット９２の鍔部９３に掛止する大きさに形成されており、外側のリングである外リング１７が使用者９１の頭と防護シート２１との離隔を確保可能な大きさに形成されている。また内リング１６と外リング１７とは、一部が繋がっており、繋がっている部分から下方に肩当１８が形成されている。
【００２１】
肩当１８は、使用者９１の肩が嵌り込むように、先端部が逆Ｕ字状に形成されている。防護服１の着用時には、内リング１６及び肩当１８を介して使用者９１の頭及び肩で防護服１が支持される。
【００２２】
胸部保形枠１３と腹部保形枠１４とは、使用者９１と防護シート２１との離隔を確保可能な大きさでリング状に形成されており、腹部保形枠１４には、ペンチ８１、ドライバー８２、殺虫剤８３等の比較的小さくて軽い道具を収納する収納箱１９が連結具２０を介して取付けられている。
【００２３】
収納箱１９は、使用者９１の胸部と腹部との間に配置されているが、これに限定されるものではなく、適宜最適な配置とすればよい。また収納箱１９の形状も、特定の形状に限定されるものではない。
【００２４】
連結具２０は、防護シート２１を挟んだ状態で腹部保形枠１４に嵌め込んで取付けられている。連結具２０の腹部保形枠１４への取付方法は、特定の方法に限定されるものではなく、例えばマグネット等を用いることができる。
【００２５】
防護シート２１は、虫の侵入を遮断し枠体１１の重量及び蜂等の針によって容易に損傷しない材質のシート部材で形成されている。防護シート２１の材質としては、例えば、ビニールシート等を用いることができる。
【００２６】
防護シート２１には、ヘルメット９２が嵌り込む頭部貫通孔２２と、透明窓３１が嵌る透明窓用貫通孔２３と、使用者９１の腕を差し込むアーム部２４と、錘４１を収納する錘用ポケット２５とが形成されている。頭部貫通孔２２、透明窓用貫通孔２３、アーム部２４は、縦に一列に並ぶように形成されている。また頭部貫通孔２２の周縁部には、伸縮性を有するゴムバンド２６が取付けられており、ゴムバンド２６がヘルメット９２に密着することで、頭部貫通孔２２からの虫の侵入を防止する。
【００２７】
防護シート２１は、頭部貫通孔２２が枠体１１の頭部保形枠１２の内リング１６の内側に配置された状態で枠体１１に被せられ、頭部保形枠１２、胸部保形枠１３、腹部保形枠１４に固定されている。
【００２８】
防護シート２１と、頭部保形枠１２、胸部保形枠１３、腹部保形枠１４との固定方法は、特定の方法に限定されるものではなく、例えば、接着剤を用いて接着してもよく、防護シート２１の内側に紐（図示省略）を取付け、該紐を頭部保形枠１２、胸部保形枠１３、腹部保形枠１４に結んで固定するようにしてもよい。
【００２９】
また透明窓用貫通孔２３は、透明窓３１の周面に隙間なく接着されている。なお透明窓用貫通孔２３の周縁部にゴムバンド（図示省略）を配設し、透明窓３１の周面に溝（図示省略）を形成し、該溝にゴムバンドを嵌め込むようにしてもよい。
【００３０】
防護シート２１を枠体１１、透明窓３１に接着すると、防護シート２１の交換が難しいが、接着せずに紐やゴムバンド等を用いて枠体１１、透明窓３１に取付ける構成にすると防護シート２１のみを交換することが可能となる。
【００３１】
アーム部２４は、胸部保形枠１３と腹部保形枠１４との間に２箇所、正面に突き出すように形成されている。アーム部２４の内側には、使用者９１の腕と防護シート２１との離隔を確保する略リング状の離隔板２８が２つずつ取付けられている。またアーム部２４の指先は、蜂等の針が貫通しないように厚手のゴムで形成されている。
【００３２】
離隔板２８の材質は、特定の材質に限定されるものではないが、使用者９１の腕に接触するので、例えば、ゴムシート等の形状を保ちつつ比較的柔らかい材質であることが好ましい。
【００３３】
錘用ポケット２５は、使用者９１の足元に位置するように形成された網目状のポケットであり、錘４１を収納し防護シート２１の裾の捲れを防止する。錘用ポケット２５は、水平方向に複数列設されたものが２段、設けられており、使用者９１の身長に合わせて、いずれかの段に錘４１が収納される。
【００３４】
透明窓３１は、透明な板材であり、枠体１１の頭部保形枠１２の外リング１７に取付けられ、使用者９１の視界を確保する。透明窓３１の材質は、特定の材質に限定されるものではなく、例えば、透明なアクリル板等の透明で軽量な材質を好適に用いることができる。また透明窓３１の形状は、特定の形状に限定されるものではなく、防護服１の着用時に使用者９１の視界を確保可能な形状であればよい。
【００３５】
錘４１は、特定のものに限定されるものではなく、錘用ポケット２５に収容可能な大きさのものを適宜選定して用いることができる。
【００３６】
次に本実施形態の防護服１の使用方法について説明する。防護服１の着用時には、ヘルメット９２の上から防護服１を被り、防護服１の頭部保形枠１２の内リング１６及び防護シート２１の頭部貫通孔２２にヘルメット９２を挿通させ、ヘルメット９２の鍔部９３に内リング１６を掛止させる。このとき頭部貫通孔２２の周縁部に取付けられたゴムバンド２６がヘルメット９２に密着する。
【００３７】
ヘルメット９２の鍔部９３を内リング１６に掛止させた後は、肩当１８を肩に当接させ、離隔板２８に腕を通してアーム部２４を装着する。なお工具類及び錘４１は、着用前に収納箱１９、錘用ポケット２５に収納されていてもよく、着用後に収納してもよい。
【００３８】
防護服１を脱ぐときには、アーム部２４から腕を引抜き、防護シート２１の裾を手繰り、腹部保形枠１４、胸部保形枠１３、頭部保形枠１２を順次持ち上げてヘルメット９２から頭部保形枠１２を外せばよい。なお工具類及び錘４１は、防護服１を脱ぐ前に収納箱１９、錘用ポケット２５から回収してもよく、防護服１を脱いだ後に回収してもよい。
【００３９】
以上のように本実施形態の防護服１によれば、枠体１１及び離隔板２８により使用者９１と防護シート２１との離隔が確保され、ゴムバンド２６及び錘４１により頭部貫通孔２２及び防護シート２１の裾からの虫の侵入が防止されるので、虫刺されによる傷病被害を確実に防止することができる。また使用者９１と防護服１との間に隙間があるので、通気性が確保され発汗を抑制することができる。
【００４０】
また本実施形態の防護服１によれば、着用時には、頭から被るだけでよく、脱ぐときには、頭（ヘルメット９２）から取外すだけでよいので、容易に着脱を行うことができる。
また本実施形態の防護服１によれば、透明窓３１により視界が確保され、アーム部２４により手作業が可能なので、作業性も良好である。
【００４１】
また本実施形態の防護服１によれば、錘用ポケット２５が網目状なので、錘用ポケット２５に雨水等が溜まる恐れがない。なお雨水等が溜まる構成の錘用ポケットを用いることを否定するものではない。また頭部保形枠１２、収納箱１９についても、適宜、雨水等が溜まりにくい構成とすることが可能である。
【００４２】
以上、第１実施形態の防護服１を用いて、本発明に係る防護服を説明したが、本発明に係る防護服は、上記実施形態に限定されるものではなく要旨を変更しない範囲で変形することができる。例えば、防護服１の通気性を向上すべく、防護シート２１に虫よりも小さい通気孔（図示省略）を穿設してもよく、網目が虫よりも小さいメッシュ部材で防護シート２１を形成してもよい。
【００４３】
第１実施形態の防護服１において、防護服１を頭（ヘルメット９２）のみで安定して支持することが可能であれば、肩当１８は、なくてもよい。
【００４４】
また第１実施形態の防護服１において、防護服１の下に被るものは、ヘルメット９２に限定されるものではなく、頭部保形枠１２の内リング１６に掛止可能な鍔部を有し、防護服１を支持可能なものであればよい。さらに、頭部保形枠１２に一体的に形成されたヘルメット部（図示省略）を備え、防護服１の着用時には該ヘルメット部を頭に被るようにしてもよい。
【００４５】
また第１実施形態の防護服１において、頭部保形枠１２、胸部保形枠１３、腹部保形枠１４を縦に繋ぐ枠（図示省略）が設けられていてもよい。この場合、防護シート２１が頭部保形枠１２、胸部保形枠１３、腹部保形枠１４を支持する必要がなくなり、防護シート２１に要求される強度が低下し、防護シート２１の材質の選定の幅を広げることができる。ただし、第１実施形態の防護服１のように、防護シート２１を介して頭部保形枠１２、胸部保形枠１３、腹部保形枠１４を連結することで、防護服１をコンパクトに構成することができる。
【００４６】
また第１実施形態の防護服１において、頭部保形枠１２、胸部保形枠１３、腹部保形枠１４、離隔板２８は、リング状に限定されるものではなく、例えば、角リング状であってもよく、使用者９１と防護シート２１との離隔を確保可能であればよい。
【００４７】
また第１実施形態の防護服１において、収納箱１９及び連結具２０に代えて、防護シート２１に工具等を収納可能なポケット（図示省略）が形成されていてもよい。
【００４８】
また第１実施形態の防護服１において、視界を確保可能な程度に防護シート２１が透明であれば、透明窓３１は、なくてもよい。
【００４９】
また第１実施形態の防護服１において、着脱時に錘４１の収納及び回収が容易なように、錘用ポケット２５を防護シート２１の内側に形成してもよい。また錘用ポケット２５は、１段又は３段以上、形成されていてもよい。
【００５０】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５１】
１  防護服
１１  枠体
１２  頭部保形枠
１３  胸部保形枠
１４  腹部保形枠
１８  肩当
２１  防護シート
２４  アーム部
２８  離隔板
４１  錘
【図１】
2018053395.tif 000003
【図２】
2018053395.tif 000004
【図３】
2018053395.tif 000005
【図４】
2018053395.tif 000006